(57)【特許請求の範囲】
【請求項１】
光を出射する光源と、
前記光源から出射される光を参照光として受光し、前記参照光を反射させて再生光を生成するホログラフィックリフレクタと、
前記光源背面に位置する凹反射板と、前記光源前面に位置するシリンダー型レンズまたは拡散板とからなり、前記光源から前記ホログラフィックリフレクタに照射される光の照射角度を調節する調節部と、
前記ホログラフィックリフレクタで生成された再生光が照射されるホログラムとを含むことを特徴とするホログラム再生装置。
【請求項２】
前記ホログラムは前記参照光を７０°以上の角度で入射させて記録した透過型ホログラムであることを特徴とする請求項１に記載のホログラム再生装置。
【請求項３】
前記ホログラフィックリフレクタは、赤色、緑色、及び青色レーザーで記録されたホログラフィックリフレクタで構成された群のうち少なくとも一つのリフレクタを含むことを特徴とする請求項１に記載のホログラム再生装置。
【請求項４】
前記ホログラフィックリフレクタは前記参照光が照射する方向からみて手前に青色光で記録されたホログラフィックリフレクタが配置され、青色ホログラフィックリフレクタが先に照射されることを特徴とする請求項３に記載のホログラム再生装置。
【請求項５】
前記光源は、線形メタルランプ、蛍光灯、ＣＣＦＴ及びＬＥＤアレイのうちいずれか一つであることを特徴とする請求項１に記載のホログラム再生装置。
【請求項６】
前記ホログラムと前記ホログラフィックリフレクタとの間にウェッジプリズムまたはオプチカルフラットをさらに具備することを特徴とする請求項１に記載のホログラム再生装置。
【請求項７】
光源から出射された光を参照光として、前記光源の背面に位置する凹反射板に反射させる段階と、
反射した前記参照光を、前記光源の前面に位置するシリンダー型レンズまたは拡散板に透過させる段階と、
透過した前記参照光が、ホログラフィックリフレクタを照射する段階と、
前記ホログラフィックリフレクタが照射される前記参照光を反射させて再生光を生成する段階と、
前記再生光を参照光としてホログラムを透過して前記ホログラムを再生する段階とを含むことを特徴とするホログラム再生方法。
【請求項８】
前記再生光を生成する段階は、前記再生光が前記ホログラフィックリフレクタから出射する角度をその波長によって調節することを特徴とする請求項７に記載のホログラム再生方法。
【請求項９】
前記ホログラフィックリフレクタと前記ホログラムとの間にウェッジプリズムまたはオプチカルフラットをさらに具備することを特徴とする請求項８に記載のホログラム再生方法。
【請求項１０】
前記ホログラムは参照光を７０°以上の角度で入射させて記録した透過型ホログラムであることを特徴とする請求項９に記載のホログラム再生方法。
【請求項１１】
光を出射する光源と、
前記光源から出射される光を参照光として受光し、前記参照光を反射させて再生光を生成するホログラフィックリフレクタと、
前記光源背面に位置する凹反射板と前記光源前面に位置するシリンダー型レンズまたは拡散板とからなり、前記光源から前記ホログラフィックリフレクタに照射される前記参照光の照射角度を調節する調節部と、
前記ホログラフィックリフレクタで生成された前記再生光が参照光として照射される平面表示素子とを含むことを特徴とする平面表示素子装置。
【請求項１２】
前記平面表示素子はＬＣＤであることを特徴とする請求項１１に記載の平面表示素子装置。
【請求項１３】
前記ホログラフィックリフレクタは、赤色、緑色、及び青色光で記録されたホログラフィックリフレクタで構成された群のうち少なくとも一つのリフレクタを含むことを特徴とする請求項１１に記載の平面表示素子装置。
【請求項１４】
前記ホログラフィックリフレクタは前記参照光が照射する方向からみて青色光で記録したホログラフィックリフレクタを手前に配置し、青色記録ホログラフィックリフレクタが先に照射されることを特徴とする請求項１３に記載の平面表示素子装置。
【請求項１５】
前記光源は、線形メタルランプ、蛍光灯、ＣＣＦＴ及びＬＥＤアレイのうちいずれか一つであることを特徴とする請求項１１に記載の平面表示素子装置。
【請求項１６】
前記平面表示素子と前記ホログラフィックリフレクタとの間にウェッジプリズムまたはオプチカルフラットをさらに具備することを特徴とする請求項１１に記載の平面表示素子装置。
【発明の詳細な説明】
【０００１】
【発明の属する技術分野】
本発明はホログラム記録方法、ホログラム再生装置及びこれを利用した再生方法及び平面表示（フラットディスプレイ）素子装置に係り、より詳細には大きい入射角を有するビームを利用するホログラム記録方法とホログラフィックリフレクタを利用したホログラム再生装置及びこれを利用したホログラム再生方法及びホログラフィックリフレクタを利用した平面表示素子装置に関する。
【０００２】
【従来の技術】
ホログラムとは、レーザービームによるホログラフィー手段を用いて生成される３次元写真イメージを意味する。ホログラフィー手段とは、ビームスプリッタで分割された２つのレーザービームのうちの一方を参照光とし、もう一方を物体光として、該物体光を情報として記録する対象となる物体に入射して散乱させてから、参照光とともに記録媒体に入射させ、参照光と物体光と干渉によって生成する多数の小さな干渉縞を当該記録媒体の表面に写真のように記録することによって、元の物体のイメージを形成する手法である。
【０００３】
デニス・ガーバー（Dennis Garbor）が１９４８年にホログラムをはじめて発明してから現在まで最も普及している方法に、Ｅ・リース（E. Leith）らが開発した２ビーム透過型ホログラム、デニシュク（Denisyuk）らが開発した１ビーム反射型ホログラム、そしてＮ・フィリップス（N. Phillips）らが開発したエッジリットホログラム（edge-lit hologram）などがある。
【０００４】
透過型ホログラムは、記録時には参照光と物体光とを記録媒体に対して同じ方向に入射させてホログラムを生成する。再生時にはホログラム記録時と同じ波長を有する参照光が記録時と同じ入射角度でホログラムの記録された記録媒体の表面を照射し、当該記録媒体を透過させて再生光を得るとともに、干渉縞による再生光の回折・散乱によって、前記参照光の入射方向と反対方向でホログラムを再構成して元の物体のイメージを形成する。ここで、ホログラムの再生とは、ホログラムに記録された情報を可視的に示すことをいう。
【０００５】
反射型ホログラムは、記録時には参照光と物体光とを記録媒体に対して反対方向に入射させる。再生時にはホログラム記録時と同じ波長を有する参照光が記録時と同じ入射角度でホログラムの記録された記録媒体の表面を照射し、当該記録媒体に反射させて再生光を得るとともに、前記参照光の入射方向と同じ方向でホログラムを再構成して元の物体のイメージを形成する。
【０００６】
図１は従来技術による一般的な透過型ホログラムの記録方法を示した模式図である。
【０００７】
図１に示すように、参照光１１と物体光１３とを、入射方向が同じ方向になるように、記録媒体１５に同時に入射させる。
【０００８】
図２は従来技術による一般的な反射型ホログラムの記録方法を示した模式図である。
【０００９】
図２に示すように、参照光１１と物体光１３とを、入射方向が反対方向になるように、記録媒体１５に同時に入射させる。ここで、記録時の効率を最大化するためには、二つの光の入射角度を一定角度で維持させねばならない。このため、再生時の参照光も、ホログラム記録時の参照光入射角度と同じ一定角度を維持させねばならない。
【００１０】
図３は従来技術による一般的な透過型ホログラムの再生方法を示した模式図である。
【００１１】
図３に示すように、ホログラム記録時の参照光と同じ波長と入射角を有する参照光１１がホログラム１７の記録された記録媒体の表面を照射し、当該記録媒体を透過させて再生光１９を得るとともに、干渉縞による再生光１９の回折・散乱によって、前記参照光の入射方向と反対方向でホログラム１７を再構成して元の物体のイメージを形成する。
【００１２】
図４は従来技術による一般的な反射型ホログラムの再生方法を示した模式図である。
【００１３】
図４に示すように、ホログラム記録時の参照光と同じ波長と入射角を有する参照光１１がホログラム１７の記録された記録媒体表面のホログラム記録時と同じ位置を照射し、当該記録媒体に反射させて再生光を得るとともに、前記参照光の入射方向と同じ方向でホログラム１７を再構成して元の物体のイメージを形成する。
【００１４】
図５は従来技術による透過型ホログラムの再生時に発生する参照光の回折による色の分離現象を示した模式図である。参照光１１がホログラム１７が記録された記録媒体を反射／透過することによって形成される再生光１９は、ホログラム１７に記録された情報を再生し、観視者はそれを立体または平面で見ることができるようになる。
【００１５】
このように従来のホログラム記録方法によってホログラムを再生する場合、光源を別に設けてホログラム記録時と同じ条件を確保しなければならない。したがって、従来のホログラム再生方法は、ホログラム再生を実施する場所に制約がある。また、ホログラフィー光学素子（Holographic Optical Element：以下、ＨＯＥと略記する）の場合システム全体の規模が大きくなってしまう。特に透過型ホログラムを再生する時の参照光の照射条件は記録時の参照光の照射条件と同一でなければならないため、ホログラムの再生場所や再生装置の構造上、問題となる。
【００１６】
特に図５に示すように、ホログラム１７またはＨＯＥを記録媒体上に記録してからフルカラーでこれを再生する場合、参照光１１の照射角度によって再生光１９が波長ごとに分離してしまう現象が生じる。
【００１７】
この問題を解決するために、従来、ホログラム記録時にミラーを使用する方法がとられてきたが、ミラーは反射角の調節が容易でないという短所がある。他の回折格子やＨＯＥを使用する場合にも光の波長による色の分離現象が発生し、ノイズの特性が足りない。フルカラーでホログラムを製作する場合に特に効率が劣る。
【００１８】
従来のエッジリットホログラムの場合も記録方法が複雑なため、効率が低い。
【００１９】
一般に一つの記録媒体にフルカラーのホログラムやＨＯＥを記録すれば効率が１／２以下に落ち、色再現性も落ちることが知られている。また色別再生角度（反射角度）の調節が困難であるという短所もある。
【００２０】
【発明が解決しようとする課題】
したがって、本発明が解決しようとする技術的課題は、前述した従来の技術の問題点を改善するために、ホログラム再生の場所やホログラム再生装置の構造に制約がなく、より簡単なホログラム記録方法を提供することである。
【００２１】
本発明が解決しようとするまた他の技術的課題は、ホログラムの種類に関係なくホログラム再生時にホログラム記録時の参照光の照射角度と同じ角度で記録媒体を照射して再生光を得られるコンパクトな構造を有するホログラフィック再生装置とこれを利用した再生方法を提供することである。
【００２２】
本発明が解決しようとするさらに他の技術的課題は、ホログラフィックリフレクタを利用した照射装置を構成して多色の光源の場合にも再生角を同一にして色分離現象がなく波長の透過率及び再生効率が優秀で、簡単な構造のホログラム再生装置及びこれを利用した再生方法を提供することである。
【００２３】
本発明が解決しようとするさらに他の技術的課題は、平面表示素子装置で波長による色温度の変化が少ない照射装置を提供して波長の透過率及び再生効率が優秀な平面表示素子装置を提供することである。
【００２４】
【課題を解決するための手段】
前記技術的課題を達成するために、本発明は参照光及び物体光を記録媒体に入射させてホログラムを記録する方法において、前記参照光としてシートビームを生成する段階と、前記参照光を前記記録媒体に７０°以上の入射角度で照射する段階とを含むことを特徴とするホログラム記録方法を提供する。
【００２５】
前記参照光と前記物体光として単一ビームを使用する。
【００２６】
前記シートビーム生成段階は、光源から放射されたポイントビームを光学処理して線形ビームに生成する段階と、前記線形ビームを光学処理して前記シートビームを生成する段階とをさらに含む。
【００２７】
ここで、ポイントビームを光学処理して線形ビームに生成することは、適当な光学的な手段を使用してポイントビームを定型化して線形ビームに生成することを意味する。
【００２８】
前記ポイントビームを処理する段階は、前記ポイントビームをシリンダー型レンズを透過させて前記線形ビームを生成する段階をさらに含むか、前記ポイントビームをシリンダー型ミラーに反射させて前記線形ビームを生成する段階をさらに含むことが望ましい。
【００２９】
前記線形ビームを処理する段階は、前記線形ビームを半シリンダー型レンズに透過させて前記線形ビームの線幅を調節して前記シートビームを生成する段階をさらに含むことが望ましい。
【００３０】
前記技術的課題を達成するために、本発明はまた、光を出射する光源と、前記光源から出射される光を参照光として受光し、前記参照光を反射させて再生光を生成するホログラフィックリフレクタと、前記光源から前記ホログラフィックリフレクタに照射される光の照射角度を調節する調節部と、前記ホログラフィックリフレクタで生成された再生光が照射されるホログラムとを含むことを特徴とするホログラム再生装置を提供する。
【００３１】
前記ホログラムは前記参照光を７０°以上の角度で入射させて記録した透過型ホログラムである。
【００３２】
前記ホログラフィックリフレクタは、赤色、緑色、及び青色レーザーで記録されたホログラフィックリフレクタで構成された群のうち少なくとも一つのリフレクタを含む。
【００３３】
前記ホログラフィックリフレクタは前記参照光が照射する方向から青色ホログラフィックリフレクタが先に照射されることが望ましい。
【００３４】
前記光源は、線形メタルランプ、蛍光灯、ＣＣＦＴ及びＬＥＤアレイのうちいずれか一つである。
【００３５】
前記調節部は、前記光源背面に位置する凹反射板を具備するか、前記光源前面に位置するシリンダー型レンズまたは拡散板を含むことが望ましい。
【００３６】
前記ホログラムと前記ホログラフィックリフレクタとの間にウェッジプリズムまたはオプチカルフラットをさらに具備することが望ましい。
【００３７】
前記技術的課題を達成するために、本発明はまた、光源から出射された光を参照光としてホログラフィックリフレクタを照射する段階と、前記ホログラフィックリフレクタを照射する前記参照光を反射させて再生光を生成する段階と、前記再生光を参照光としてホログラムを透過して前記ホログラムを再生する段階とを含む。
【００３８】
前記ホログラフィックリフレクタを照射する段階は、前記光源から照射される前記参照光を前記光源の背面に位置する凹反射板に反射させる段階をさらに含む。
【００３９】
前記ホログラフィックリフレクタを照射する段階は、前記光源から照射される前記参照光を前記光源の前面に位置するシリンダー型レンズまたは拡散板にさらに透過させることが望ましい。
【００４０】
前記再生光を生成する段階は、前記再生光が前記ホログラフィックリフレクタから出射する角度をその波長によって調節することが望ましい。
【００４１】
前記ホログラフィックリフレクタと前記ホログラムとの間にウェッジプリズムまたはオプチカルフラットをさらに具備することが望ましい。
【００４２】
前記ホログラムは参照光を７０°以上の角度で入射させて記録した透過型ホログラムである。
【００４３】
前記技術的課題を達成するために、本発明はまた、光を出射する光源と、前記光源から出射される光を参照光として受光し、前記参照光を反射させて再生光を生成するホログラフィックリフレクタと、前記光源から前記ホログラフィックリフレクタに照射される前記参照光の照射角度を調節する調節部と、前記ホログラフィックリフレクタで生成された前記再生光が参照光として照射される平面表示素子とを含むことを特徴とする平面表示素子装置を提供する。
【００４４】
ここで、前記平面表示素子はＬＣＤである。
【００４５】
前記ホログラフィックリフレクタは、赤色、緑色、及び青色光で記録されたホログラフィックリフレクタで構成された群のうち少なくとも一つのリフレクタを含むことが望ましい。
【００４６】
前記ホログラフィックリフレクタは前記参照光が照射する方向からみて手前に青色光で記録されたホログラフィックリフレクタが配置され、青色ホログラフィックリフレクタが先に照射されることが望ましい。
【００４７】
前記光源は、線形メタルランプ、蛍光灯、ＣＣＦＴ及びＬＥＤアレイのうちいずれか一つである。
【００４８】
前記調節部は、前記光源背面に位置する凹反射板と前記光源前面に位置するシリンダー型レンズまたは拡散板とを含むことが望ましい。
【００４９】
前記ホログラムと前記ホログラフィックリフレクタとの間にウェッジプリズムまたはオプチカルフラットをさらに具備することが望ましい。
【００５０】
前記平面素子はＬＣＤを含む。前記ホログラフィックリフレクタ、前記光源、前記調節部の構造及び機能はホログラフィックリフレクタを利用したホログラム再生装置及びこれを利用した再生方法で記述したことと同一である。
【００５１】
【発明の実施の形態】
以下、本発明の好適な実施態様によるホログラム記録方法とホログラム再生装置及びこれを利用したホログラム再生方法及び平面表示素子装置を、添付図面を参照しながら、詳細に説明する。
【００５２】
まず、本発明の好適な実施態様によるホログラム記録方法を説明する。
【００５３】
図６は本発明の第１実施態様による透過型ホログラム記録方法を示した模式図である。
【００５４】
図６を参照すれば、参照光５１を記録媒体５５に７０°以上の大きい角度で直接入射させるか、ミラー５６の反射を利用して間接入射させ、同時に物体光５３を記録媒体５５に参照光５１が入射された記録媒体５５の面と同じ面で半透過ミラー５８の反射を利用して間接または直接入射させる。前記物体光５３は前記記録媒体５５に記録しようとする物体５７から散乱した光である。物体の情報が記録される前記記録媒体５５が透過型ホログラムまたはＨＯＥになる。
【００５５】
図７は本発明の第１実施態様による反射型ホログラムを示した模式図である。
【００５６】
図７を参照すれば、本発明の反射型ホログラム記録方法は物体光５３と参照光５１とが反対方向に記録媒体５５に入射されるという点で透過型ホログラム記録方法と相異なるが、前記参照光５１と前記物体光５３とを前記記録媒体５５に入射させる方法は透過型ホログラム記録方法で参照光５１と物体光５３とを記録媒体５５に入射させる方法と同一である。
【００５７】
本発明の実施態様によるホログラム記録方法では、参照光５１を７０°以上の大きい角度で入射させてホログラムを形成することによって、構造的にコンパクトな再生装置の構成が可能である。例えば、参照光が７０°以上の大きい入射角度を有するホログラムまたはＨＯＥの記録方法の場合、ホログラムまたはＨＯＥが一つの記録媒体に一つの波長で記録されれば、再生時９０％以上の効率を得られるとともに、再生される光の波長及び角度も容易に調節できる。
【００５８】
本発明による第２実施態様として大きい入射角を有する単一ビームを利用したホログラム記録方法のうち透過型ホログラムを記録する方法を図８に示す。
【００５９】
図８を参照すれば、参照光５１は半透過ミラー５８に反射されて記録媒体５５に向かい、前記参照光５１は同時に前記半透過ミラー５８をさらに透過して凹面ミラー５４に反射されて物体光５３を形成する。前記参照光５１と前記物体光５３とは前記記録媒体５５に対して同じ方向に入射する。この場合に前記参照光５１はシートビームであって７０°以上の大きい入射角度で記録媒体５５に入射する。
【００６０】
本発明による第２実施態様として大きい入射角を有する単一ビームを利用したホログラム記録方法のうち反射型ホログラムを記録する方法を図９に示す。
【００６１】
図９を参照すれば、参照光５１は記録媒体５５に入射され、同時に前記記録媒体５５を透過して凹面ミラー５４に反射された後物体光５３を形成する。前記参照光５１と前記物体光５３とは前記記録媒体５５に対して反対の方向に入射する。この場合に前記参照光５１はシートビームであって７０°以上の大きい角で入射する。
【００６２】
参照光５１の入射角は光学系のコンパクト化のために、望ましくは７０°より大きい角度に設定される。
【００６３】
一般に二つ以上のビームを使用するより一つのビームを使用した方がその記録方法においてより簡単である。ただし、従来の技術では再生時の照射を容易にするために参照光が４５°程度の入射角で記録媒体に入射されねばならず、参照光の再生時にも記録時の参照光の入射角度と同じ照射角度が要求されるために、ホログラム再生システムが大きくなる短所があった。本発明の実施態様による単一ビームを使用する反射型ホログラムは７０°以上の大きい角度の入射角を有する参照光で記録することによって、再生装置の構造を簡単なものとすることができる。
【００６４】
図１０は、本発明の実施態様によるホログラム記録方法においてシリンダー型レンズを使用してシートビームを生成する方法を示す概略透視図である。
【００６５】
図１０に示すように、前記参照光５１としてシートビーム３１を生成する方法では、まず点光源から出射されたポイントビーム２３をシリンダー型レンズ２５に透過させて線形ビーム２７を生成した後、前記線形ビーム２７を半シリンダー型レンズ２９に透過させてビームの線幅を調節してシートビーム３１を生成する。
【００６６】
図１１は本発明の実施態様によるホログラム記録方法において、シリンダー型ミラーを使用してシートビームを生成する方法を示す概略透視図である。
【００６７】
図１１を参照すれば、前記参照光５１をシートビーム３１に生成する他の方法として、まず点光源から出射されたポイントビーム２３をシリンダー型ミラー３３に反射させて線形ビーム２７を生成した後、半シリンダー型レンズ２９を透過させることでビームの線幅を調節してシートビーム３１を生成し、前記記録媒体１５に均一に照射させる。
【００６８】
参照光５１としてシートビーム３１を利用するのは、記録媒体５５の表面に均一に参照光を照射させることによってホログラム再生時の再生効率を高めるためである。ホログラムの場合、各部分が物体光の全情報を共有しているので、記録しようとする物体から散乱する物体光の位相や振幅等の情報が記録媒体上に均一かつ明確に記録されることが重要である。情報を均一に記録するほどホログラム再生時のイメージが鮮明になりホログラムの再生効率も高まる。
【００６９】
次に、本発明の実施態様によるホログラム再生装置を詳細に説明する。
【００７０】
図１２は本発明の第１実施態様によるホログラム再生装置を示す横断面図である。
【００７１】
図１２に示すように、本発明の第１実施態様によるホログラム再生装置は光源３５と、光源３５から照射された参照光としての光が入射するホログラムが記録された記録媒体６７と、片側に光源３５を具備して記録媒体６７の両側を支持する支持台３７とを含む。
【００７２】
光源３５は、その前面にシリンダー型レンズまたは拡散板を具備するか、その背面に凹反射板を具備して、光源３５から前記記録媒体６７に照射される参照光の照射角度及び照射面積を調節する。くっきりとした再生光を得るためには、ホログラム記録時の参照光の入射角度によってホログラム再生時の参照光の照射角度を調節する必要がある。
【００７３】
記録媒体６７に記録されたホログラムは透過型ホログラムまたは反射型ホログラムである。透過型ホログラムの場合、前記光源３５から出射された光が参照光として記録媒体６７を透過して再生光を生成し、当該再生光は参照光の入射方向と反対方向、すなわち、図面の上方に散乱することで、ホログラムが再生され、元の物体のイメージが形成される。一方、反射型ホログラムの場合には、参照光が記録媒体６７を反射して再生光を生成し、当該再生光は参照光の入射方向と同じ方向、すなわち図面の下方に散乱することで、ホログラムが再構成される。
【００７４】
支持台３７は光源を一側面に具備して記録媒体６７を両側で支持する。前記ホログラム再生装置は光源３５から記録媒体６７上のホログラムに照射される光路上に配置されるホログラフィックリフレクタ３９をさらに具備できる。
【００７５】
ホログラフィックリフレクタ３９は透過型ホログラムを再生する際の光の照射角度の調節を容易にする。多色ホログラムを再生する場合には、より簡単な構造のホログラム再生装置が製造できるとともに、色の分散を防ぐために使用できる。
【００７６】
図１３は本発明の第２実施態様によるホログラフィックリフレクタを使用する透過型ホログラム再生装置を示す側面図である。
【００７７】
図１３に示すように、本発明の第２実施態様によるホログラフィックリフレクタを利用した透過型ホログラム再生装置は、光源３５と、当該光源３５から出射された光を参照光６１として受光して当該参照光６１を反射するホログラフィックリフレクタ３９と、ホログラフィックリフレクタ３９で反射されて再構成された光６２が再び参照光として照射されるとそれを透過して、再生光６３を生成することによって透過型ホログラムを再生する記録媒体４１とを具備する。
【００７８】
光源３５から照射された参照光６１は、ホログラフィックリフレクタ３９で各波長によって相異なる再生角度で再生される。ホログラフィックリフレクタ３９で反射される光はその再生角度を同一に調節して記録媒体４１の表面を照射し、前記透過型ホログラムを透過して生成された再生光６３は干渉縞による再生光の回折及び拡散を通じて参照光の入射方向と反対方向に元の物体のイメージを形成する。
【００７９】
ホログラフィックリフレクタ３９で反射される再生光の再生角度を同一にすることは、透過型ホログラムまたはＨＯＥ再生時に光の波長別屈折率と回折により発生する色の分散効果を最小化させるためである。
【００８０】
以下、ホログラフィックリフレクタ３９で光の再生角度を調節する原理についてより詳細に説明する。
【００８１】
ホログラフィックリフレクタ３９を使用して反射された光を透過型ホログラムやＨＯＥが記録された記録媒体４１に照射させると、赤色、緑色、青色の光が特定方向の所定角度で再生されることによってホログラム再生のための再生光を生成することができる。
【００８２】
緑色波長λG、入射角ΘGで前記透過型ホログラム３９が記録された場合に透過型ホログラフィックリフレクタの格子間隔ｄGは数式１の通りである。
【００８３】
【数１】
0004132953.tif 000002
【００８４】
このように記録されたホログラフィックリフレクタの格子を赤色と青色とで再生する場合、再生角は各々数式２及び数式３の通りである。ここで、赤色再生角はΘR、青色再生角はΘBである。
【００８５】
【数２】
0004132953.tif 000003
【００８６】
【数３】
0004132953.tif 000004
【００８７】
背面にあるホログラフィックリフレクタ３９の反射角度をこれに合わせて調節して三色波長の再生角を全部ΘGにすれば白色光で再生が可能である。三色を再生するホログラフィックリフレクタ３９を基板に固定させて光源と反射板レンズなどを利用してホログラフィックリフレクタ３９に照射させれば図１７に示したように、所望の方向に白色光が再生される。
【００８８】
再生角調節原理を利用して図１４に示したように、コンパクトな透過型ホログラム再生装置を製造できる。
【００８９】
一般の光源では青色光の輝度または強度が低いので光源のスペクトルで赤色、緑色、青色光の強度が同一であっても光学機器、ホログラムまたはディスプレー等に使われる基板の特性上、短い波長の光が急速に吸収されたり、透過率が落ちたりする現象がみられる。これを改善するために赤色、緑色、青色の三色のビームで記録されたホログラフィックリフレクタ３９を製造する時、参照光６１の照射方向で青色、赤色、緑色の順序で構成されたホログラフィックリフレクタ３９を使用する。上記三色のうち青色を含む二色のビームで記録されたホログラフィックリフレクタを使用する場合にも青色のビームで記録されたホログラフィックリフレクタを再生光の照射方向からみて手前に配置した構造を採用し、青色光を記録したホログラフィックリフレクタが先に照射されるようにすることで、青色光の再生効率を高めることができる。
【００９０】
図１４は、図１３に示したホログラフィックリフレクタを利用した透過型ホログラム再生装置を示す概略側面図である。
【００９１】
前記実施態様で光源３５は線形メタルランプ、蛍光灯、ＣＣＦＴまたはＬＥＤアレイを使用できる。透過型ホログラムを記録した記録媒体４１に入射する光の形態、すなわち、照射面積及び照射角度を調節するための調節部としての光学系は、前述したホログラム再生装置と同一である。
【００９２】
次に、本発明の第１実施態様による平面表示（フラットディスプレイ）素子装置を、図１５を参照して説明する。
【００９３】
図１５は本発明の第１実施態様によるＬＣＤバックライトからなる平面表示素子装置を示す側面図である。
【００９４】
図１５を参考すれば、本発明の第１実施態様によるＬＣＤバックライトは光源３５とホログラフィックリフレクタ３９とＬＣＤ４３とを具備する。光源３５とホログラフィックリフレクタ３９の構造は図１３及び図１４に示した構成と同一である。ただし、被照射部（記録媒体としてのホログラム４１）だけＬＣＤ４３に取り替えられている。さらに、ホログラフィックリフレクタ３９とＬＣＤ４３との間にウェッジプリズム４５をさらに具備できる。ウェッジプリズム４５は照射部の形態を維持させて光路を確定する。そしてウェッジプリズム４５の表面に光を拡散させる機能を付加したり、拡散板を付加すればさらに均一な照射を得られる。
【００９５】
前記ホログラフィックリフレクタ３９をウェッジプリズム４５の一端に角度を持たせて固定し、光源３５をウェッジプリズム４５の一隅に配置する。光源３５から出射される光を凹面ミラーとレンズなどを使用してホログラフィックリフレクタ３９に照射する。ホログラフィックリフレクタ３９で反射される照射光がウェッジプリズム４５を透過しつつ発散してＬＣＤを照射すればＬＣＤバックライトになる。
【００９６】
図１６は図１５のＬＣＤバックライトを示す概略側面図である。前記ホログラフィックリフレクタ３９の再生角度を調節することによって波長による光の再生角度を同じ角度にすることができることを示している。その原理は前述した通りである。
【００９７】
図１７は本発明の第１実施態様による透過型ホログラム再生方法を示す模式図である。
【００９８】
図１８は本発明の第１実施態様による反射型ホログラム再生方法を示す模式図である。
【００９９】
図１７を参照すれば、前記ホログラムを再生する方法は従来のホログラム再生方法と同一であるが、本発明により記録されたホログラムは記録時に参照光が７０°以上の入射角を有するので再生時にもホログラム記録時と同じ入射角度で参照光８１をホログラム８７に入射させねばならない。
【０１００】
透過型ホログラムの場合、ホログラフィックリフレクタ３９に反射された参照光８１はホログラム８７に記録時と同じ入射角度でホログラム８７を照射し、前記ホログラム８７を透過して生成された再生光８９は干渉縞による再生光８９の回折及び発散を通じて参照光８１の入射方向と反対方向で元の物体のイメージを再生する。
【０１０１】
一方、反射型ホログラムの場合は、ホログラフィックリフレクタ３９により反射された参照光８１は記録時と同じ入射角度でホログラム８７を照射し、再生光８９は前記ホログラム８７を参照光８７の入射方向と同じ方向に再生して元の物体のイメージを再生する。
【０１０２】
また、単一ビームを使用したホログラム再生方法においても同じ再生方法を利用する。
【０１０３】
図１９は、本発明にようホログラム記録方法における光の波長によって異なるホログラムの透過率を示すグラフである。図１９に示すように、参照光が大きい入射角で入射するＨＯＥを製作した結果、ＨＯＥの再生角、再生光の波長、ホログラムの再生効率などで良い結果を得た。
【０１０４】
図１９を参照すれば、ＰＦＧ−０３ｃを記録媒体とした反射型ＨＯＥにおいて、赤色波長（６４７ｎｍ）、緑色波長（５３２ｎｍ）、青色波長（４５８ｎｍ）に対する透過率を示したグラフで、Ｘ軸の４５７.２２ｎｍ、５３１.５ｎｍ、６４７.８１ｎｍで光の透過率が１％以下となり、三色の反射率が高くなることが分かる。
【０１０５】
図２０は、異なる波長によってホログラムの反射率及び透過率が異なることを示す表である。図２０を参照すれば、ＳＨＳＧ（Silver Halide Sensitized Gelatin）反射型ＨＯＥで３つの波長４５８ｎｍ、５３２ｎｍ、６４７ｎｍの反射率が各々９６.３％、９６.５％、９６.８％であり、透過率が各々０.２％、０.５％、０.８％であることから、大きい入射角で参照光が入射する場合にホログラム再生効率が非常に高いホログラムを製作できるということが分かる。
【０１０６】
前記説明で多くの事項が具体的に記載されているが、それは発明の範囲を限定するものではなく、望ましい実施態様の例示として解析されねばならない。本発明の範囲は説明された実施態様によって定められることではなくて特許請求の範囲に記載された技術的思想により定められねばならない。
【０１０７】
【発明の効果】
前述したように、本発明によるホログラムの長所はこれらを再生する場合に場所や構造的な制約条件なしにコンパクトなホログラフィックシステムやホログラフィックディスプレーを製作できる。また一般の透過型ホログラムやＨＯＥで発生する回折による色の分散をホログラフィックリフレクタを利用して除去することによって白色光を照射光として使用して多色光の再生が可能となる。また本発明による方法で高効率ＬＣＤバックライトの製作が可能となる。
【図面の簡単な説明】
【図１】従来技術による一般的な透過型ホログラムの記録方法を示した模式図である。
【図２】従来技術による一般的な反射型ホログラムの記録方法を示した模式図である。
【図３】従来技術による一般的な透過型ホログラムの再生方法を示した模式図である。
【図４】従来技術による一般的な反射型ホログラムの再生方法を示した模式図である。
【図５】従来技術による透過型ホログラムの再生時に発生する参照光の回折による色の分離現象を示した模式図である。
【図６】本発明の第１実施態様による透過型ホログラム記録方法を示す模式図である。
【図７】本発明の第１実施態様による反射型ホログラム記録方法を示す模式図である。
【図８】本発明の第２実施態様による透過型ホログラム記録方法を示す模式図である。
【図９】本発明の第２実施態様による反射型ホログラム記録方法を示す模式図である。
【図１０】本発明の実施態様によるホログラム記録方法でシリンダー型レンズを使用してシートビームを生成する方法を示す概略斜視図である。
【図１１】本発明の実施態様によるホログラム記録方法でシリンダー型ミラーを使用してシートビームを生成する方法を示す概略斜視図である。
【図１２】本発明の第１実施態様によるホログラム再生装置を示す横断面図である。
【図１３】本発明の第２実施態様による透過型ホログラム再生装置を示す側面図である。
【図１４】本発明の第２実施態様による透過型ホログラム再生装置を示す概略側面図である。
【図１５】本発明の第１実施態様によるＬＣＤバックライトを構成する平面表示素子装置を示す側面図である。
【図１６】図１５の平面表示素子装置を示す概略側面図である。
【図１７】本発明の第１実施態様による透過型ホログラム再生方法を示す模式図である。
【図１８】本発明の第１実施態様による反射型ホログラム再生方法を示す模式図である。
【図１９】本発明のホログラム記録方法においてビームの波長により異なるホログラムの透過率を示したグラフである。
【図２０】本発明の記録方法においてビームの波長によるホログラムの反射率及び透過率の変化を示した図表である。
【符号の説明】
５１    参照光
５３    物体光
５５    記録媒体
５６    ミラー
５７    記録しようとする物体
５８    半透過ミラー
【図１】
0004132953.tif 000005
【図２】
0004132953.tif 000006
【図３】
0004132953.tif 000007
【図４】
0004132953.tif 000008
【図５】
0004132953.tif 000009
【図６】
0004132953.tif 000010
【図７】
0004132953.tif 000011
【図８】
0004132953.tif 000012
【図９】
0004132953.tif 000013
【図１０】
0004132953.tif 000014
【図１１】
0004132953.tif 000015
【図１２】
0004132953.tif 000016
【図１３】
0004132953.tif 000017
【図１４】
0004132953.tif 000018
【図１５】
0004132953.tif 000019
【図１６】
0004132953.tif 000020
【図１７】
0004132953.tif 000021
【図１８】
0004132953.tif 000022
【図１９】
0004132953.tif 000023
【図２０】
0004132953.tif 000024